(57)【要約】【課題】  部品点数の増大や装置構成の大型化を行わなくても、偏向器を光学ハウジングに固定する際に回転多面鏡の回転軸の取付角度がずれることなく固定することができる光走査装置を提供することを課題とする。【解決手段】  光走査装置１１は、回転体２１を回転駆動させる偏向器１２を光学ハウジング１０内に有する。偏向器１２は、回転体２１を回転可能に保持する軸受け保持部１４と、光学ハウジング１０に取付けられる回路基板２０と、光学ハウジング１０には、軸受け保持部１４を支える支持部１６が設けられ、支持部１６の上面には位置決め用の基準面１６Ｓが形成され、軸受け保持部１４のフランジ部２２の下面側に形成された当接面２２Ｓが基準面１６Ｓに当接する。回路基板２０には、光学ハウジング１０に取付けられるとフランジ部２２に当接して弾性変形する爪部２５が形成されている。【選択図】        図２
2005156926.tif 000002
【特許請求の範囲】
【請求項１】
回転多面鏡を有する回転体を回転駆動して光ビームを偏向走査する偏向器と、前記偏向器で偏向された光を感光体上に結像させ等速度で走査させる走査結像光学系と、が光学ハウジング内に設けられている光走査装置において、
前記偏向器は、前記回転体の回転軸を回転可能に保持する軸受け保持部と、前記光学ハウジングに取付けられた回路基板と、を備え、
前記光学ハウジングには、前記軸受け保持部を位置決めする位置決め部を有して前記軸受け保持部を支える支持部が設けられ、
前記回路基板は、前記光学ハウジングに取付けられると前記軸受け保持部に当接して弾性変形する可撓部を有し、前記可撓部の弾性変形によって前記軸受け保持部を前記位置決め部に向けて押圧することを特徴とする光走査装置。
【請求項２】
前記支持部が前記光学ハウジングの底部から上方に延び出す短円筒状のリブであって、
前記軸受け保持部には、下方へ突出して前記リブ内に嵌合する嵌合凸部が形成されていることを特徴とする請求項１に記載の光走査装置。
【請求項３】
前記位置決め部には基準面が形成され、
前記軸受け保持部には、前記基準面に当接する当接面が形成され、
前記当接面が前記基準面に当接することによって前記軸受け保持部の位置決めが行われることを特徴とする請求項２に記載の光走査装置。
【請求項４】
前記回路基板には、前記軸受け保持部を挿通させる開口が形成されていると共に、前記開口の縁から延び出す可撓性の複数の爪部が前記可撓部として形成されていることを特徴とする請求項３に記載の光走査装置。
【請求項５】
前記回転体に回転力を付与するために同一円周上に配置されたコイルと、前記回転体の回転数を検出する回転数検出素子と、が前記回路基板に設けられていることを特徴とする請求項１〜請求項４のうち何れか１項に記載の光走査装置。
【請求項６】
前記回転体の回転軸に平行な方向から見て前記円周よりも内側位置に、
取付用のネジが挿通する挿通孔を前記光学ハウジングの底壁部に形成すると共に、前記ネジが係合する雌ネジ孔を前記回路基板に形成したことを特徴とする請求項５に記載の光走査装置。
【請求項７】
前記回転体の回転軸と、前記爪部と、前記雌ネジ孔と、を同一直線上に設けたことを特徴とする請求項６に記載の光走査装置。
【請求項８】
前記コイル及び前記回転数検出素子を前記回転体の回転軸に対して位置決めするための位置決め手段が、前記軸受け保持部に設けられていることを特徴とする請求項５〜請求項７のうち何れか１項に記載の光走査装置。
【請求項９】
前記位置決め手段として、前記開口の縁部に当接する当接部を前記軸受け保持部に設けたことを特徴とする請求項８に記載の光走査装置。
【請求項１０】
前記コイル及び前記回転数検出素子を前記回転体の回転軸に対して位置決めするための位置決め手段が、前記光学ハウジングに設けられていることを特徴とする請求項５〜請求項７のうち何れか１項に記載の光走査装置。
【請求項１１】
前記位置決め手段として、前記回路基板に位置決め孔を形成すると共に、前記位置決め孔に挿通する挿通部を前記光学ハウジングに設けたことを特徴とする請求項１０に記載の光走査装置。
【発明の詳細な説明】
【技術分野】
【０００１】
本発明は、電子写真プロセス技術を使用した画像形成装置に用いるのに最適な光走査装置に関する。
【背景技術】
【０００２】
従来から電子写真プロセス技術を使用した画像形成装置においては、一様に帯電させた感光体上に光走査装置からの走査光により静電潜像を形成させ、この静電潜像をトナーによって現像し、得られた感光体上のトナー像を用紙に転写、定着させて画像を記録している。
【０００３】
このような光走査装置に用いられる偏向器の固定方法に関する従来例としては、例えば特許文献１〜４に開示されている。
【０００４】
特許文献１では、偏向器７２の軸受が回路基板７０の上に直付けされており、回路基板７０の四隅を上方から光学ハウジング７４にネジで固定する構成の光走査装置７１が開示されている（図４、図５参照）。
【０００５】
特許文献２では、偏向器の回転軸を保持するフランジ部を弾性部材の押圧力で光学ハウジングに押し当てることにより偏向器を固定している光走査装置８１、８２、８３が開示されている（図６〜図８参照）。
【０００６】
特許文献３でも特許文献２と同様に、偏向器の回転軸を保持するフランジ部を弾性部材の押圧力で光学ハウジングに押し当てることにより偏向器を固定している光走査装置８６が開示されている（図９〜図１１参照）。
【０００７】
特許文献４では、偏向器９２を構成する保持部９４が偏向器９２の回転軸９５を保持していて、保持部９４の胴部９６を光学ハウジング９０の嵌入孔９８に圧入する構造の光走査装置９１が開示されており（図１２参照）、同様の構成の光走査装置１０１（図１３参照）も開示されている。
【特許文献１】特開２０００−３３００６１号公報
【特許文献２】特開平５−３４６２２号公報
【特許文献３】特開平５−１３４２０２号公報
【特許文献４】特開平７−１９９１０７号公報
【発明の開示】
【発明が解決しようとする課題】
【０００８】
しかし、特許文献１〜４に開示された光走査装置には以下のような問題点がある。
【０００９】
特許文献１に開示された光走査装置７１では、上方から回路基板７０の隅をネジで固定する際に、光学ハウジング７４上の支持部７６の平行度誤差により回路基板７０が歪む場合がある。偏向器７２の軸受が回路基板７０に直付けされているので、この場合、回路基板７０が歪むことによって、偏向器７２を構成する回転多面鏡７３の回転軸（ポリゴン回転軸）７５の取付角度がずれ、その結果、光走査装置７１としての光学特性を劣化させることがある。特にOverfilled光学系では走査線の傾き（SKEW）や曲がり（BOW）の悪化や結像面のずれが生じ、画像品質を低下させることがある。
【００１０】
特許文献２や特許文献３に開示された光走査装置では、軸受けを保持するフランジ部の下方にフランジ部を光学ハウジングに押し当てるための弾性部材（例えば、図６に示す圧縮コイルバネ８１Ｖ、図７に示すスリーブ８２Ｖ、図８に示す弾性突起８３Ｖ、図９や図１０に示す線バネ８６Ｖ、図１１に示す板バネ８７）が必要となる。
【００１１】
さらに弾性部材および弾性部材を保持する構造が光学ハウジング下方に張出すため、光走査装置が大型化し、光走査装置の薄型化には不利となる。またフランジ部を挿通する孔を光学ハウジングに設ける必要があり、光学ハウジングの剛性が低下する。
【００１２】
特許文献４に開示された光走査装置９１では、保持部９４の胴部９６を光学ハウジング９０に圧入する際に光学ハウジング９０に歪みが生じ、回転軸９５の取付角度がずれることがある。
【００１３】
本発明は、上記事実を考慮して、部品点数の増大や装置構成の大型化を行わなくても、偏向器を光学ハウジングに固定する際に回転多面鏡の回転軸の取付角度がずれることなく固定することができる光走査装置を提供することを課題とする。
【課題を解決するための手段】
【００１４】
本発明者は、回路基板の取付位置が多少ずれていても、回転多面鏡を有する回転体の回転軸の取付角度がずれなければ大きな問題は生じないことに着目した。そして、装置構成を大型化させることなく、大きな力を加えなくても回転体を取付けることができる構造にすることを鋭意検討し、本発明を完成するに至った。
【００１５】
請求項１に記載の発明では、回転多面鏡を有する回転体を回転駆動して光ビームを偏向走査する偏向器と、前記偏向器で偏向された光を感光体上に結像させ等速度で走査させる走査結像光学系と、が光学ハウジング内に設けられている光走査装置において、前記偏向器は、前記回転体の回転軸を回転可能に保持する軸受け保持部と、前記光学ハウジングに取付けられた回路基板と、を備え、前記光学ハウジングには、前記軸受け保持部を位置決めする位置決め部を有して前記軸受け保持部を支える支持部が設けられ、前記回路基板は、前記光学ハウジングに取付けられると前記軸受け保持部に当接して弾性変形する可撓部を有し、前記可撓部の弾性変形によって前記軸受け保持部を前記位置決め部に向けて押圧することを特徴とする。
【００１６】
可撓部が変形できるように、可撓部が入る所定幅の溝部を軸受け保持部に形成して、可撓部と軸受け保持部との間に所定量のガタを形成しても良いし、可撓部の変形方向に部材を設けない構造にしても良く、可撓部の構造や可撓部の弾性変形の形態は特に限定しない。
【００１７】
請求項１に記載の発明により、回転体を光走査装置に取付ける際に回転体に大きな力を加える必要がない。従って、軸受け保持部は、位置決め部によって規定される所望の姿勢で確実に保持され、取付角度にずれが生じること、すなわち回転軸が傾いて光走査装置の光学特性が劣化することを防止できる。また、軸受け保持部を固定する際に弾性部材等の部品を増やす必要がない。更に、光学ハウジングの底部から部材が張り出すような構造にしなくても済み、光走査装置を大型化しなくてもよい。
【００１８】
請求項２に記載の発明では、前記支持部が前記光学ハウジングの底部から上方に延び出す短円筒状のリブであって、前記軸受け保持部には、下方へ突出して前記リブ内に嵌合する嵌合凸部が形成されていることを特徴とする。
【００１９】
これにより、回路基板の姿勢に関わらず、軸受け保持部の平面方向の位置決めを行うことができる。
【００２０】
請求項３に記載の発明では、前記位置決め部には基準面が形成され、前記軸受け保持部には、前記基準面に当接する当接面が形成され、前記当接面が前記基準面に当接することによって前記軸受け保持部の位置決めが行われることを特徴とする。
【００２１】
これにより、軸受け保持部の位置決めを高精度で行い易い。
【００２２】
請求項４に記載の発明では、前記回路基板には、前記軸受け保持部を挿通させる開口が形成されていると共に、前記開口の縁から延び出す可撓性の複数の爪部が前記可撓部として形成されていることを特徴とする。
【００２３】
これにより、簡易な構造によって保持部を押圧することができる。
【００２４】
請求項５に記載の発明では、前記回転体に回転力を付与するために同一円周上に配置されたコイルと、前記回転体の回転数を検出する回転数検出素子と、が前記回路基板に設けられていることを特徴とする。
【００２５】
これにより、回路基板を取付けることにより、コイルと回転数検出素子とを配置することができる。
【００２６】
請求項６に記載の発明では、前記回転体の回転軸に平行な方向から見て前記円周よりも内側位置に、取付用のネジが挿通する挿通孔を前記光学ハウジングの底壁部に形成すると共に、前記ネジが係合する雌ネジ孔を前記回路基板に形成したことを特徴とする。
【００２７】
これにより、回路基板が軸受け保持部を押圧する際に回路基板に生じる変形を爪部に限定し易い。
【００２８】
請求項７に記載の発明では、前記回転体の回転軸と、前記爪部と、前記雌ネジ孔と、を同一直線上に設けたことを特徴とする。
【００２９】
これにより、請求項６に記載の発明による効果を更に顕著にすることができる。
【００３０】
請求項８に記載の発明では、前記コイル及び前記回転数検出素子を前記回転体の回転軸に対して位置決めするための位置決め手段が、前記軸受け保持部に設けられていることを特徴とする。
【００３１】
これにより、回路基板を取付ける際、軸受け保持部に設けられた位置決め手段によって回転体の回転軸に対するコイル及び回転数検出素子の位置決めを行うことができ、取付時間の短縮化を図ることができる。
【００３２】
請求項９に記載の発明では、前記位置決め手段として、前記開口の縁部に当接する当接部を前記軸受け保持部に設けたことを特徴とする。
【００３３】
これにより、位置決め手段の簡素化を図ることができる。
【００３４】
請求項１０に記載の発明では、前記コイル及び前記回転数検出素子を前記回転体の回転軸に対して位置決めするための位置決め手段が、前記光学ハウジングに設けられていることを特徴とする。
【００３５】
これにより、回路基板を取付ける際、光学ハウジングに設けられた位置決め手段によって回転体の回転軸に対するコイル及び回転数検出素子の位置決めを行うことができ、取付時間の短縮化を図ることができる。
【００３６】
請求項１１に記載の発明では、前記位置決め手段として、前記回路基板に位置決め孔を形成すると共に、前記位置決め孔に挿通する挿通部を前記光学ハウジングに設けたことを特徴とする。
【００３７】
これにより、位置決め手段の簡素化を図ることができる。
【発明の効果】
【００３８】
以上説明したように、本発明によれば、部品点数の増大や装置構成の大型化を行わなくても、偏向器を光学ハウジングに固定する際に回転多面鏡の回転軸の取付角度がずれることなく固定することができる光走査装置を実現させることができる。
【発明を実施するための最良の形態】
【００３９】
以下、実施形態を挙げ、本発明の実施の形態について説明する。
【００４０】
［第１形態］
まず、第１形態について説明する。図１は第１形態の光走査装置11の構成を示す平面図である。
【００４１】
レーザーダイオード1から出射されたレーザー光はコリメーターレンズ２、スリット３及びシリンダーレンズ４を通過し、偏向器１２に設けられた回転多面鏡５によって偏向走査される構成になっている。偏向走査されたレーザー光は第一fθレンズ６Ｐと第二fθレンズ６Ｑとからなる結像光学系７を通過し、ウインドウガラス８を経て感光体表面９に結像・走査される。
【００４２】
（偏向器）
ここで、偏向器１２の取付構造を説明する。
【００４３】
図２は、偏向器１２の光学ハウジング１０に対する取付構造を示す。偏向器１２は、光学ハウジング１０に取付けられる回路基板２０と、上述の回転多面鏡５を有する回転体２１と、回転体２１を回転可能に保持する軸受け保持部１４とを備えている。
【００４４】
回転体２１は、回転多面鏡５の中心を貫通する回転軸１５と、後述のコイル３０とによって回転力を発生させるマグネット３１と、を有する。
【００４５】
軸受け保持部１４は、ベアリング１３を内蔵して回転軸１５を回転可能に保持する軸受け保持部本体１４Ｍを有しており、軸受け保持部本体１４Ｍの側面は円筒側面状にされている。また、軸受け保持部本体１４Ｍの円筒側面状の外周壁の中間高さ位置にはフランジ部２２が形成されている。軸受け保持部本体１４Ｍのフランジ部２２よりも下部は、後述の嵌合穴１８に嵌合する嵌合凸部１９となっている。
【００４６】
光学ハウジング１０には、フランジ部２２に当接する円筒形リブ状の支持部１６と、回路基板２０を支持する３個のボス１７Ａ〜Ｃと、が何れも底面から上方に延び出している。ボス１７Ａには後述のネジ２８Ａが挿通する挿通孔１７ＡＨが形成され、ボス１７Ｂにも同様に挿通孔１７ＢＨが形成され、ボス１７Ｃにも同様に挿通孔（図示せず）が形成されている。
【００４７】
支持部１６の上面は、軸受け保持部１４を位置決めする基準面１６Ｓとされ、フランジ部２２の下面は、基準面１６Ｓと当接する当接面２２Ｓとされている。また、支持部１６の内側は、軸受け保持部本体１４Ｍの嵌合凸部１９と嵌合する嵌合穴１８になっている。
【００４８】
このような構成によって、軸受け保持部１４の平面方向の位置決めを行っている。また、支持部１６の基準面１６Ｓに軸受け保持部１４の当接面２２Ｓが当接し、偏向器１２の高さ方向及び取付角度（光学ハウジング１０の底面に対する回転軸１５の角度）の位置決めがなされている。
【００４９】
さらに、回路基板２０には、軸受け保持部１４を挿通させると共に回路基板２０の位置決めに用いられる開口２４と、開口２４の縁から開口内に突出して軸受け保持部１４のフランジ部２２を上から押圧する３箇所の爪部２５Ａ〜Ｃと、が形成されている。そして、軸受け保持部１４には位置決め突起２３（3ヵ所）が設けられており、位置決め突起２３が開口２４の縁に当接して回路基板２０を回転軸１５に対して位置決めする構成になっている。また、回路基板２０には、開口２４の外側に同一の円周Ｃの上に配置され、マグネット３１との間で回転力を発生させるコイル３０が設けられている。また、回路基板２０には、回転多面鏡５で偏向走査されたレーザー光を受光して回転体２１の回転数を測定するための回転数検出素子３２が設けられている。
【００５０】
上述したように、回路基板２０の一部は弾性変形しやすい爪形状の爪部２５（3ヵ所）を構成している。また、軸受け保持部１４を構成する上フランジ部２７とフランジ部２２との間には溝部２６が形成されており、爪部２５の先端は軸受け保持部１４に形成された溝部２６に所定量の隙間をもって挿入され、爪部２５は軸受け保持部１４に対しガタを持ちながら抜けない構造となっている。なお、溝部２６を形成するために、軸受け保持部１４を構成している上フランジ部２７を軸受け保持部１４に対し別部材としておき、軸受け保持部１４を回路基板２０の爪部２５に挿入してから上フランジ部２７を軸受け保持部１４に取付ける構造としてもよい。
【００５１】
偏向器１２を光学ハウジング１０に取付ける際には、軸受け保持部１４の嵌合凸部１９を支持部１６の嵌合穴１８に嵌合させて当接面２２Ｓを基準面１６Ｓに当接させた後、光学ハウジング底壁下側から挿通した３本のネジ２８Ａ〜Ｃを回路基板２０に設けられた３箇所の雌ネジ孔２９Ａ〜Ｃにそれぞれ締結することにより、回路基板２０をボス１７Ａ〜Ｃ上に固定する。この結果、回路基板２０の爪部２５が弾性変形して軸受け保持部１４のフランジ部２２の上側周縁を押圧し、軸受け保持部１４が光学ハウジング１０の設定位置に固定され、取付角度はずれない。
【００５２】
この状態で回路基板２０上に設けられたコイル３０と回転体２１に設けられたマグネット３１との距離δが規定の距離になるように、光学ハウジング１０に固定された支持部１６の上面及びボス１７の上面の高さ位置が予め設定されている。
【００５３】
特に、ネジ２８が締結される位置を、回転軸心Ｏから見て爪部２５が存在する角度と同方向にし（すなわち、回転軸心Ｏと爪部２５Ａとネジ２８Ａとが一直線上に位置するようにし、同様に、回転軸心Ｏと爪部２５Ｂとネジ２８Ｂとが、及び、回転軸心Ｏと爪部２５Ｃとネジ２８Ｃとが、それぞれ一直線上になるようにし）、これと共に、回転軸心Ｏから見て爪部２５及びネジ２８を円周Ｃよりも内側とすることにより、軸受け保持部１４を押圧する際の回路基板２０の弾性変形を爪部２５に限定することができ、コイル３０とマグネット３１との距離δに誤差を生じにくくすることができる。
【００５４】
このとき、光学ハウジング１０に設けられたボス１７の上面は高さ及び平行度に所定量の誤差を有しており、回路基板２０はネジ２８の締結力によってボス１７上面に押しつけられて歪みを生じることがある。しかし、爪部２５は軸受け保持部１４に対しガタを持ちながら抜けない構造となっているため、爪部２５が変形し、回転軸１５の取付角度のずれが生じることは回避される。
【００５５】
よって回転軸１５の傾きによって生じる感光体表面上の走査線の傾き（SKEW）や曲がり（BOW）の悪化や結像面のずれ等が生じること、すなわち光走査装置１１の光学特性の劣化が生じることを防止でき、画像品質低下を防止することができる。
【００５６】
［第２形態］
次に、第２形態について説明する。第２形態では、第１形態と同様の構成要素には同じ符号を付してその説明を省略する。
【００５７】
図３に示すように、第２形態では、第１形態で説明した３つの位置決め突起２３（図２参照）に代えて、コイル３３および回転数検出素子３７を偏向器３８の回転中心に対し位置決めするための２本の位置決めピン３４Ａ、３４Ｂが光学ハウジング１０の底部に立設されている。コイル３３及び回転数検出素子３７は、第１形態で説明したものと同様のものであるが、配置位置を高い精度で設定している。
【００５８】
偏向器３８を構成する回路基板４０には、第１形態で説明した回路基板２０（図２参照）に比べ、位置決めピン３４Ａ、３４Ｂがそれぞれ貫通する位置決め孔３５、３６が更に形成されている。位置決め孔３５は丸孔とし、位置決め孔３６は回路基板４０の回転を規制するための長孔にされている。
【００５９】
第２形態では、このような構成により、回路基板４０の平面方向の位置決め（すなわち平面内での位置決め）を行うことができる。
【００６０】
以上、実施形態を挙げて本発明の実施の形態を説明したが、これらの実施形態は一例であり、要旨を逸脱しない範囲内で種々変更して実施できる。また、本発明の権利範囲が上記実施形態に限定されないことは言うまでもない。
【図面の簡単な説明】
【００６１】
【図１】第１形態の光走査装置の構成を示す平面図である。
【図２】第１形態の光走査装置を構成する偏向器を示す図であり、図２（Ａ）は図２（Ｂ）の矢視２Ａ−２Ａから見た平面断面、図２（Ｂ）は図２（Ａ）の矢視２Ｂ−２Ｂから見た側面断面図である。
【図３】第２形態の光走査装置を構成する偏向器を示す図であり、図３（Ａ）は図３（Ｂ）の矢視３Ａ−３Ａから見た平面断面、図３（Ｂ）は図３（Ａ）の矢視３Ｂ−３Ｂから見た側面断面図である。
【図４】特許文献１に開示された従来の光走査装置の構成を示す平面図である。
【図５】特許文献１に開示された従来の光走査装置を示す図であり、（Ａ）は光学ハウジングの斜視部分断面図、（Ｂ）は回路基板に偏向器が直付けされていることを示す部分側面断面図である。
【図６】特許文献２に開示された従来の光走査装置の一例を示す部分側面断面図である。
【図７】特許文献２に開示された従来の光走査装置の別の一例を示す部分側面断面図である。
【図８】特許文献２に開示された従来の光走査装置の更に別の一例を示す部分側面断面図である。
【図９】特許文献３に開示された従来の光走査装置の一例を示す部分側面断面図である。
【図１０】特許文献３に開示された従来の光走査装置の偏向器に用いられている線バネの構成を示す斜視図である。
【図１１】特許文献３に開示された従来の光走査装置の偏向器で、線バネに代えて用いる板ばねの構成を示す斜視図である。
【図１２】特許文献４に開示された従来の光走査装置の一例を示す部分側面断面図である。
【図１３】特許文献４に開示された従来の光走査装置の別の一例を示す部分側面断面図である。
【符号の説明】
【００６２】
５  回転多面鏡
７  結像光学系
１０  光学ハウジング
１１  光走査装置
１２  偏向器
１４  軸受け保持部
１５  回転軸
１６  支持部
１６Ｓ  基準面
１７ＡＨ  挿通孔
１７ＢＨ  挿通孔
１９  嵌合凸部
２０  回路基板
２１  回転体
２２Ｓ  当接面
２３  位置決め突起（当接部）
２４  開口
２５Ａ〜Ｃ  爪部
２８Ａ〜Ｃ  ネジ
２９Ａ〜Ｃ  雌ネジ孔
３０  コイル
３２  回転数検出素子
３４Ａ、Ｂ  位置決めピン（挿通部）
３５  位置決め孔
３６  位置決め孔
３７  回転数検出素子
３８  偏向器
４０  回路基板
７０  回路基板
７１  光走査装置
７２  偏向器
７３  回転多面鏡
７４  光学ハウジング
８１  光走査装置
８２  光走査装置
８３  光走査装置
８６  光走査装置
９０  光学ハウジング
９１  光走査装置
９２  偏向器
９５  回転軸
１０１  光走査装置
Ｃ  円周
【図１】
2005156926.tif 000003
【図２】
2005156926.tif 000004
【図３】
2005156926.tif 000005
【図４】
2005156926.tif 000006
【図５】
2005156926.tif 000007
【図６】
2005156926.tif 000008
【図７】
2005156926.tif 000009
【図８】
2005156926.tif 000010
【図９】
2005156926.tif 000011
【図１０】
2005156926.tif 000012
【図１１】
2005156926.tif 000013
【図１２】
2005156926.tif 000014
【図１３】
2005156926.tif 000015